(57)【要約】【課題】画像形成装置を再生産する場合に、初期化可能な情報を判別して初期化することにより、適切にリファービッシュが可能な再生産システム等を提供すること。【解決手段】再生産が完了した画像形成装置に端末装置が接続された画像形成装置の再生産システムにおいて、画像形成装置は、動作のために必要な情報が複数設定されており、端末装置は、画像形成装置から、一の情報を読み出し、読み出された情報を固有情報か、設定情報かを判定する。判定された情報が、固有情報の場合は情報をそのままにしておき、設定情報の場合は所定の情報にて上書きする制御を行う。【選択図】図１
2015041341.tif 000002
【特許請求の範囲】
【請求項１】
再生産が完了した画像形成装置に端末装置が接続された画像形成装置の再生産システムにおいて、
前記画像形成装置は、動作のために必要な情報が複数設定されており、
前記端末装置は、
前記画像形成装置から、一の情報を読み出す読み出し手段と、
前記読み出された情報を固有情報か、設定情報かを判定する判定手段と、
前記判定手段により判定された情報が、固有情報の場合は情報をそのままにしておき、設定情報の場合は所定の情報にて上書きする制御を行う制御部と、
を備えることを特徴とする画像形成装置の再生産システム。
【請求項２】
前記制御部は、前記判定手段により判定された情報が設定情報の場合には初期化することを特徴とする請求項１に記載の再生産システム。
【請求項３】
前記画像形成装置には、累積使用量を示すトータルカウンタ値が記憶されており、
前記判別手段は、読み出された情報がトータルカウンタ値の場合には固有情報として判定することを特徴とする請求項１又は２に記載の再生産システム。
【請求項４】
前記画像形成装置には、複数の交換可能なユニットが含まれており、
ユニット毎に、当該ユニットにおける累積資料用を示すユニットカウンタ値が記憶されており、
前記判別手段は、読み出された情報がユニットカウンタ値の場合、当該ユニットカウンタ値に対応するユニットが交換されていない場合には固有情報と判定し、当該ユニットカウンタ値に対応するユニットが交換されている場合には、設定情報と判定し、
前記制御部は、前記情報がユニットカウンタ値であり、設定情報と判定されている場合には、ユニットカウンタ値を初期化することを特徴とする請求項１から３の何れか一項に記載の再生産システム。
【発明の詳細な説明】
【技術分野】
【０００１】
本発明は、画像形成装置の再生産システム等に関する。
【背景技術】
【０００２】
現在、市場に出回っている装置を回収し、メーカが想定している使用量、使用期間を越えて痛んだ部品を交換したり、分解・清掃等を行うことにより中古品を再生する、いわゆるリファービッシュという仕組みが行われている。そしてリファービッシュされた製品は、再度市場に中古再生品や、リユース品として出荷されることになる。
【０００３】
このリファービッシュをするときに、効率良く行う為に色々な工夫がされている。例えば、市場から引き上げてきた装置の状態を、各ユニットの交換作業マニュアルをプリントアウトすることにより、効率良く再生する技術が開示されている（例えば、特許文献１参照）。
【０００４】
また、トナーカートリッジについては、従前からリサイクルトナー等が活用されており、画像形成装置においてリサイクル処理というのが一般的に行われている（例えば、特許文献２参照）。
【先行技術文献】
【特許文献】
【０００５】
【特許文献１】特開２００７−８６３３３号公報
【特許文献２】特開２００１−２０９２８１号公報
【発明の概要】
【発明が解決しようとする課題】
【０００６】
例えば市場の設置先において使用された画像形成装置を回収してきた場合、装置固有のシリアル番号などの情報以外に、出力した印刷枚数を示すトータルカウンタ数といった情報や、ＩＰアドレス、ＦＡＸ機能等におけるアドレス帳、給紙カセットにセットされた用紙に関する情報といった設置先において使用されたことを表す種々の情報が装置内に記憶されている。
【０００７】
例えば、利用者が操作可能なリセット操作では、総ての情報が削除出来ず再生産された製品に従前利用していた利用者の情報が残ってしまうと個人情報の漏えいにつながり、セキュリティ上問題点があった。また、作業員が総ての情報を消去するということを行ってしまうと、例えば画像形成部における画像の形成動作制御に必要な、カラーバランス、制御タイミング等も総てリセットされてしまい、また全部を再生設定しなければならないといった問題が生じていた。
【０００８】
上述した課題に鑑み、本発明が目的とするところは、画像形成装置を再生産する場合に、初期化可能な情報を判別して初期化することにより、適切にリファービッシュが可能な再生産システム等を提供することである。
【課題を解決するための手段】
【０００９】
上述した課題を解決するために、本発明の画像形成装置における再生産システムは、
再生産が完了した画像形成装置に端末装置が接続された画像形成装置の再生産システムであって、
前記画像形成装置は、動作のために必要な情報が複数設定されており、
前記端末装置は、
前記画像形成装置から、一の情報を読み出す読み出し手段と、
前記読み出された情報を固有情報か、設定情報かを判定する判定手段と、
前記判定手段により判定された情報が、固有情報の場合は情報をそのままにしておき、設定情報の場合は所定の情報にて上書きする制御を行う制御部と、
を備えることを特徴とする。
【発明の効果】
【００１０】
本発明によれば、画像形成装置には、動作のために必要な情報が複数設定されており、端末装置が、画像形成装置から一の情報を読み出し、読み出した情報が固有情報と判定された場合はそのままにし、設定情報と判定された場合は所定の情報で上書きされることとなる。したがって、画像形成装置において再生産する場合に、必要な情報が保持されつつ、適切に各種データを所定の情報で上書きすることができ、適切に再生産が行えることとなる。
【図面の簡単な説明】
【００１１】
【図１】実施の形態における再生産システムの全体を示す図である。
【図２】実施の形態における画像形成装置の機能構成を説明するための図である。
【図３】実施の形態における装置動作情報の一例を示す図である。
【図４】実施の形態における装置設定情報の一例を示す図である。
【図５】実施の形態における履歴情報の一例を示す図である。
【図６】実施の形態における固有調整値情報の一例を示す図である。
【図７】実施の形態における端末装置の機能構成を説明するための図である。
【図８】実施の形態における初期値情報の一例を示す図である。
【図９】実施の形態における利用者設定情報の一例を示す図である。
【図１０】実施の形態における種類判別情報の一例を示す図である。
【図１１】実施の形態におけるデータの種類を説明するための図である。
【図１２】実施の形態における設定初期化処理の動作フローを説明するための図である。
【図１３】実施の形態におけるリファービッシュシステム全体について説明するための図である。
【図１４】実施の形態におけるリファービッシュシステム全体について説明するための図である。
【図１５】第１実施形態における処理を説明するための図である。
【図１６】第２実施形態における処理を説明するための図である。
【図１７】第３実施形態における処理を説明するための図である。
【図１８】第４実施形態における処理を説明するための図である。
【図１９】第７実施形態における処理を説明するための図である。
【図２０】実施の形態における画面例の一例を示す図である。
【発明を実施するための形態】
【００１２】
以下、図面を参照して本発明を実施するための最良の形態について説明する。
［１．全体構成］
図１は、本発明の再生産システムを模式的に示した図を示すものである。本実施形態においては、画像形成装置１０と、端末装置２０とが、所定の通信手段を用いて接続されている。
【００１３】
まず、画像形成装置１０において、再生産（リファービッシュ）が行われる。そして、再生産時に設定を初期化するにあたり、接続された端末装置２０により設定初期化処理が実行される。
【００１４】
［２．機能構成］
続いて、本実施形態における画像形成装置１０と、画像形成装置１０に接続される端末装置２０との機能構成について図を用いて説明する。
【００１５】
［２．１  画像形成装置］
まず、画像形成装置１０における機能構成を図２を用いて説明する。図２に示すように、画像形成装置１０は、制御部１１０と、画像形成部１２０と、記憶部１３０と、出力部１４０と、操作表示部１５０と、通信部１６０とを有して構成されている。
【００１６】
制御部１１０は、画像形成装置１０の全体を制御するための機能部である。制御部１１０は、記憶部１３０に記憶されている各種プログラムを読み出して実行することにより各種機能を実現しており、例えばＣＰＵ（Central Process Unit）等により構成されている。
【００１７】
画像形成部１２０は、入力された画像から画像を形成し、出力するための機能部である。例えば、帯電方式にて画像を形成するレーザ方式、インクジェットにより画像を形成するインクジェット方式等の出力装置等から構成されており、記録紙に画像を形成し出力することができる。
【００１８】
記憶部１３０は、画像形成装置１０の動作に必要な各種プログラムや、各種データが記憶されている機能部である。記憶部１３０は、例えば、半導体メモリや、ＨＤＤ（Hard Disk Drive）等により構成されている。
【００１９】
また、記憶部１３０には、装置動作情報１３２と、装置設定情報１３４と、履歴情報１３６と、固有調整値情報１３８とが記憶されている。
【００２０】
装置動作情報１３２は、現在画像形成装置１０が動作している状態、その中でもカウンタ値や、シリアル番号等の画像形成装置１０における動作に関する情報を記憶している。例えば、図３に示すように、シリアル番号と、各種カウンタに対応したカウンタ値がそれぞれ記憶されている。
【００２１】
ここで、全体カウンタは、画像形成装置１０が今までに出力した用紙の枚数を示すカウンタであり、このカウンタは途中で初期化されない値である。そして、この全体を示すカウンタの他に、各ユニット毎に管理するカウンタが設けられている。ユニット毎のカウンタは、例えばユニットが交換された場合には初期化され、再度「０」となる。
【００２２】
装置設定情報１３４は、画像形成装置１０が利用する配信リスト（アドレスリスト）や、用紙設定情報といった、利用者が設定する情報を記憶している。例えば、図４では、配信先となるアドレスと、ＦＡＸ番号とが対応づけて記憶されている。
【００２３】
履歴情報１３６は、画像形成装置１０における各種履歴が記憶されている情報である。例えば、図５では、履歴の一つである動作エラーに関する履歴を記憶している。履歴情報１３６を参照することにより、どのようなエラーが発生しているかを確認したり、問題となっているパーツを特定したりすることが可能となる。
【００２４】
固有調整値情報１３８は、固有調整値が記憶されている。ここで、固有調整値とは、例えば画像形成装置における転送ローラの速度、転写ユニットの温度、各種ファンの回転速度といった、装置固有の情報である。
【００２５】
この値は、例えば画像形成装置１０が生産される過程で、各ユニットが組み込まれた最終工程において、工場出荷時に製品として問題なく動作するよう調整されたり、設置場所においてサービスマンが調整したりする画像形成装置としての動作を保証するための調整値である。
【００２６】
操作表示部１５０は、画像形成装置１０に対して各種操作入力を行ったり、利用者に各種情報を表示したり、動作を選択するための画面を表示したりするための機能部である。例えば、操作する機構としてハードウェアキー、表示する機構として液晶ディスプレイを別に備えても良いし、操作機構と表示機構とをタッチパネルとして一体に形成しても良い。
【００２７】
通信部１６０は、端末装置２０と通信を行う為の機能部である。端末装置２０と通信可能なインタフェースを備えており、例えばＲＳ−２３２Ｃや、ＵＳＢ、ＬＡＮ等の何れかの手段により接続される。
【００２８】
［２．２  端末装置］
続いて、端末装置２０の機能構成について、図７を用いて説明する。図７に示すように、端末装置２０は、制御部２１０と、入出力部２２０と、記憶部２３０と、通信部２４０とを備えて構成されている。
【００２９】
制御部２１０は、端末装置２０の全体を制御するための機能部である。制御部２１０は、記憶部２３０に記憶されている各種プログラムを読み出して実行することにより各種機能を実現しており、例えばＣＰＵ（Central Process Unit）等により構成されている。
【００３０】
入出力部２２０は、端末装置２０に対して入力動作を行ったり、端末装置２０が出力動作を行ったりする機能部である。例えば、キーボード、マウス、タッチパネル等により入力され、外部に接続されたディスプレイや、液晶ディスプレイといった各種接続された出力装置に出力される。
【００３１】
記憶部２３０は、端末装置２０の動作に必要な各種プログラムや、各種データが記憶されている機能部である。記憶部２３０は、例えば、半導体メモリや、ＨＤＤ（Hard Disk Drive）等により構成されている。
【００３２】
また、記憶部２３０には、初期値情報２３２と、利用者設定情報２３４と、種類判別情報２３６とが記憶されている。
【００３３】
初期値情報２３２は、画像形成装置１０毎に、初期値となる情報が記憶されている。例えば、図８に示すように、用紙サイズ設定や、排出トレイの位置、節電モードの状態等が初期値（例えば、工場出荷値）が記憶されている。なお、この初期値は、画像形成装置の機種毎に記憶しておくことにより、複数の機種について設定を行うことができる。
【００３４】
利用者設定情報２３４は、利用者が画像形成装置を利用するのに必要な情報が記憶されている。例えば、図９に示すように、ＦＡＸの送信先情報（ＦＡＸにおける送信先の氏名、ＦＡＸ番号等）の情報が設定される。
【００３５】
種類判別情報２３６は、各項目がどのような値（種類）であるかを示す情報である。例えば、本実施形態においては、図１０に示すように、必須情報と、固有調整情報と、ユーザ設定情報と、履歴情報とについて、それぞれ項目が設定されている。
【００３６】
これにより、例えば、「ＩＰアドレス」については「ユーザ設定情報」であることを判別することが可能となり、「カラーバランス」については「固有調整情報」であることを判別することが可能となる。
【００３７】
すなわち、画像形成装置１０において記憶されている情報は、消去しないデータと、消去するデータとが存在している。図１１に示すように、例えば製品に関する情報（シリアルナンバー、仕向地設定）、コピーカウンタに関する情報（コピートータルカウンタ、（交換しなかった）パーツ・ユニットのメンテナンスカウンタ）、コピー画質／制御に関する情報（固有調整値であるコピーの濃度調整値、電圧調整値等）は消去をしない。
【００３８】
しかし、ユーザに関する情報（ＩＰアドレス／マシン名称）、製品の使用に関する情報（ドキュメントファイル情報、履歴情報、電話帳）、メンテナンスに関する情報（交換したパーツ・ユニットのメンテナンスカウンタ）は消去する必要がある。
【００３９】
このような、各種消去する情報と、消去しない情報とを判定し、それに応じて処理を変えることで、リファービッシュ（再生産）を効率的に行うことが可能となる。
【００４０】
通信部２４０は、画像形成装置１０と通信を行う為の機能部である。通信部２４０は、画像形成装置１０と通信可能なインタフェースを備えており、例えばＲＳ−２３２ｃや、ＵＳＢ、ＬＡＮ等の何れかの手段により接続される。
【００４１】
［３．処理の流れ］
続いて、本実施形態における設定初期化処理について説明する。図１２は、設定初期化処理について説明する動作フローである。設定初期化処理は、画像形成装置１０における各データ（項目）について、それぞれどのように処理を行うかを判定し、データを初期化するか、初期値等他の値で上書きするか、そのままにするかを実行する処理である。
【００４２】
まず、交換パーツがあるか否かを判定する（ステップＳ１０２）。交換パーツがあると、交換パーツのカウンタをクリアする（ステップＳ１０４）。ここで、パーツ・ユニットが交換されたか否かの判定は、例えば交換パーツ・ユニットからの情報（例えば製造番号等の情報）を検出することにより行ってもよいし、作業員による入力により行ってもよい。
【００４３】
つぎに、画像形成装置１０からデータを読み出すと（ステップＳ１０６）、読み出されたデータがユーザ設定情報か否かを判定する（ステップＳ１０８）。なお、読み出されたデータの種類については、種類判別情報２３６にしたがって判別される。
【００４４】
ユーザ設定情報の場合には、データを消去するか否かを判定する（ステップＳ１１４）。ここで、データを消去しない場合はそのままとし（ステップＳ１１４；Ｎｏ）、データを消去する場合には、初期値があるか否かを確認する（ステップＳ１１４；Ｙｅｓ→ステップＳ１１６）。
【００４５】
ここで、初期値がない場合にはデータをクリアし（ステップＳ１１６；Ｎｏ→ステップＳ１１２）、初期値がある場合には、データを初期値で上書きする（ステップＳ１１６；Ｙｅｓ→ステップＳ１１８）。
【００４６】
また、読み出した情報が履歴情報の場合には、当該データをクリアする（ステップＳ１０８；Ｎｏ→ステップＳ１１０；Ｙｅｓ→ステップＳ１１２）。
【００４７】
また、読み出されたデータが装置の必須情報の場合（ステップＳ１１０；Ｎｏ→ステップＳ１２０；Ｙｅｓ）や、固有調整値情報（ステップＳ１２０；Ｎｏ→ステップＳ１２２；Ｙｅｓ）の場合にはデータを消去せずにそのままとしておく。
【００４８】
また、必須情報でも固有調整値情報でもない場合には（ステップＳ１２０；Ｎｏ→ステップＳ１２２；Ｎｏ）、読み出されたデータを消去してよいか否か判定する（ステップＳ１２４）。
【００４９】
ここで、判定方法としては予め判定テーブルを設けてもよいし、全体として「消去する」との設定としておいてもよい。また、データ毎に作業者に確認を促す情報を表示する事としてもよい。
【００５０】
更に消去する場合には、当該データに初期値があるか否かを判定する（ステップＳ１２４；Ｙｅｓ→ステップＳ１２６）。ここで、初期値がなければそのままデータをクリアし（ステップＳ１２６；Ｎｏ→ステップＳ１３０）、初期値があればデータを初期値に設定する（ステップＳ１２８）。
【００５１】
この設定初期化処理を繰り返し実行し、総てのデータに対して実行することにより、消去してはいけないデータについてはそのままに、消去すべきデータのうち初期値があるデータは初期値に、そうでないデータはデータが初期化されることとなる。
【００５２】
［４．リファービッシュシステムへの適用例］
具体的に、上述した設定初期化処理を用いた再生産のシステム（リファービッシュシステム）について、図１３、１４を用いて説明する。
【００５３】
通常、画像形成装置が工場から出荷され（Ｓ２０２）、市場において利用者に利用されている（Ｓ２０４）。そして、所定のタイミングにおいて、画像形成装置（製品）が回収され（Ｓ２０６）、再生産が行われる。
【００５４】
そして、リファービッシュ処理が実行され（Ｓ２０８）、交換すべきパーツが確認される。その後、画像形成装置は分解され（Ｓ２１０）、交換すべきパーツについては交換し（Ｓ２１２；Ｙｅｓ→Ｓ２１４）、交換が不要と判断されたパーツはパーツ交換不要と判断される（Ｓ２１２；Ｎｏ→Ｓ２１６）。
【００５５】
その後、画像形成装置のリフレッシュ作業が実施される（Ｓ２２０）。リフレッシュ作業としては、例えば本体清掃（Ｓ２２２）、外装洗浄（Ｓ２２４）、主要ユニットのメンテナンス（Ｓ２２６）が行われる。
【００５６】
このリフレッシュ作業は、自動的なシステムにおいて実施されても良いし、作業員が実施しても良い。その後、動作確認が行われ（Ｓ３３０）、画質調整が行われる（Ｓ３２２）。
【００５７】
そして、動作確認（Ｓ２５２）、画質調整（Ｓ２５４）が行われたあと、最終的に出荷設定が行われる（Ｓ２５６）。ここで、そのままでは製品に従前の設定・データ等が記憶されているため、設定初期化処理を実行することにより、出荷前段階の製品に最終的に調整される（Ｓ２５８）。
【００５８】
そして、必要なデータが削除・設定された後、仕上げ／梱包作業が実施され（Ｓ２６０）、出荷される（Ｓ２６２）。
【００５９】
［５．実施形態］
次に、上述したリファービッシュ作業完了時のデータ消去方法について、各実施形態について説明する。
【００６０】
［５．１  第１実施形態］
第１実施形態について、図１５を用いて説明する。第１実施形態は、画像形成装置１０から全データを端末装置２０に送信する。そして、端末装置２０から全データを受信し、画像形成装置１０も全データを書き換える実施形態である。
【００６１】
まず、端末装置２０は、画像形成装置１０に対して全データの送信を要求する全データ送信要求を送信する（Ｓ１００２）。画像形成装置１０は、全データ送信要求を受信すると、全データを抽出し（Ｓ１００４）、全データを送信する（Ｓ１００６）。
【００６２】
続いて端末装置２０は、全データの受信を完了すると（Ｓ１００８；Ｙｅｓ）、設定初期化処理を各データについて実行する（Ｓ１０１０）。すなわち、設定初期化処理が実行されることにより、各データについて初期化が必要か否かを判断することとなる。なお、Ｓ１００８において、全データの受信が完了しない場合（Ｓ１００８；Ｎｏ）、データの受信が完了するまで待機（受信継続）しても良いし、画像形成装置１０に再送信信号を送信する処理を実行しても良い。また、所定時間経過した場合は本処理を中止することとしても良い。
【００６３】
全データに対して設定初期化処理を実行した後は（Ｓ１０１２；Ｙｅｓ）、全データを画像形成装置１０に送信する（Ｓ１０１４）。画像形成装置１０は、受信されたデータに基づいて全データを書き換える処理を実行する（Ｓ１０１６）。
【００６４】
このように、本実施形態によれば端末装置２０において全データに対する設定初期化処理を実行し、全データに対して書き換え処理が行われる事となる。画像形成装置１０にお
いて、初期化する動作を行わなくて良く、また確実にデータが設定されることとなる。
【００６５】
［５．２  第２実施形態］
第２実施形態について、図１６を用いて説明する。第２実施形態は、第１実施形態と同様に全データを端末装置２０に送信するが、画像形成装置１０は必要に応じたデータのみを書き換える実施形態である。なお、第１実施形態と同様の処理には同一の符号を付して説明を省略する。
【００６６】
Ｓ１０１２において、全データに対する設定初期化処理が完了後、設定初期化処理においてデータが変更されたものについて送信データを生成する（Ｓ２０１４）。そして、生成された送信データが、画像形成装置１０に送信される（Ｓ２０１６）。
【００６７】
画像形成装置１０は、端末装置２０からデータを受信すると、受信されたデータで書き換える処理を実行する（Ｓ２０１８）。そして、データの書換えが終了すると（Ｓ２０２０；Ｙｅｓ）、本処理を終了する。ここで、データ書換え終了の判定方法としては、例えば最後のデータを書き換えたタイミングを検出する事としても良いし、端末装置２０からデータ書換え終了通知を受信することにより判定しても良い。
【００６８】
なお、上述した実施形態では、送信データを全データ終了後に行っているが、設定初期化処理（Ｓ１０１０）が終了後に、随時データを送信する事としても良い。
【００６９】
このように、本実施形態によれば、端末装置２０から、画像形成装置１０に対して必要なデータのみを送信することとなる。これにより、全データを送信する（書き換える）のと比較し、短時間で書き換え処理を終了することが可能となる。
【００７０】
［５．３  第３実施形態］
続いて、第３実施形態について図１７を用いて説明する。第３実施形態は、画像形成装置１０から必要なデータのみを送信する実施形態である。
【００７１】
まず、端末装置２０は、初期化に必要なデータについてのデータ送信要求を画像形成装置１０に送信する（Ｓ３００２）。画像形成装置１０は、データ送信要求に応じたデータを抽出し（Ｓ３００４）、端末装置２０に送信する（Ｓ３００６）。
【００７２】
ここで、初期化に必要なデータは、例えば図１１における消去しないデータについて予め除外したデータであったり、消去するデータ等であったりする。また、作業員が予め初期化に必要なデータを環境ファイルとして作成しておき、それを適用することとしても良い。
【００７３】
端末装置２０は、受信したデータに対して設定初期化処理を実行し（Ｓ３００８）、送信データを生成する（Ｓ３０１０）。生成された送信データは、画像形成装置１０に送信される（Ｓ３０１２）。
【００７４】
画像形成装置１０は、端末装置２０から受信されたデータで書き換え処理を実行し（Ｓ３０１４）、データの書換えが終了したら本処理を終了する（Ｓ３０１６；Ｙｅｓ）。なお、端末装置２０は、全データが終了するまで処理を繰り返し実行する（Ｓ３０１８；Ｎｏ）。
【００７５】
ここで、端末装置２０は、各データ一つずつに対して処理を繰り返し実行してもよいし、最初のデータ送信要求で設定初期化処理が必要な総てのデータについてデータ送信要求を行っても良い。
【００７６】
このように、本実施形態によれば、画像形成装置１０から必要なデータのみを送信し、端末装置２０からも必要なデータのみを送信することになる。すなわち、画像形成装置１０と、端末装置２０とは必要なデータのみを送受信することにより、データ転送に係る時間を短くすることができる。
【００７７】
［５．４  第４実施形態］
つづいて、第４実施形態について図１８を用いて説明する。図１８は、画像形成装置１０から必要となるデータを送信する処理となる。
【００７８】
まず、画像形成装置１０は、初期化が必要なデータを抽出する（Ｓ４００２）。ここで初期化が必要なデータとしては、予め指定されていても良いし、利用者が指定する事としても良い。また、明らかに不要なデータ（例えば、機器シリアル番号）等については除外する設定として良い。
【００７９】
次に、画像形成装置１０は、抽出されたデータを端末装置２０に送信する（Ｓ４００４）。端末装置２０は、設定初期化処理を実行し（Ｓ４００６）、送信データを生成する（Ｓ４００８）。端末装置２０は、生成された送信データを画像形成装置１０に送信する（Ｓ４０１０）。
【００８０】
画像形成装置１０は、受信されたデータで書き換えを実行し（Ｓ４０１２）、データの書換えが総て終了すれば処理を終了し（Ｓ４０１４；Ｙｅｓ）、まだ処理するデータがある場合はＳ４００２から処理を繰り返し実行する（Ｓ４０１４；Ｎｏ→Ｓ４００２）。
【００８１】
なお、この場合データを繰り返し処理しているが、Ｓ４００２において必要なデータを総て抽出してしまってもよい。
【００８２】
このように、本実施形態によれば、画像形成装置１０から必要なデータのみを送信することにより、画像形成装置１０、端末装置２０の送受信データを軽減することができる。さらに画像形成装置１０から端末装置２０に対して必要なデータしか送信されないため、端末装置２０の処理負担も軽減することが可能となる。
【００８３】
［５．５  第５実施形態］
第５実施形態として、設定初期化処理の実行を利用者に選択させる場合の実施形態について説明する。第５実施形態は、例えば図１５における第１実施形態や、図１６における第２実施形態について実行可能な実施形態である。
すなわち、設定初期化処理（図１５、図１６のＳ１０１０）が実行される段階において、端末装置２０において設定初期化処理を実行するか表示する。作業員は、何のデータ（項目）の設定が初期化されるか否かをこの時点で判断することが可能となる。
ここで、作業員により、設定初期化処理を実行するか否か、強制的に設定をクリアするか、任意の値を設定するかを選択する。これにより、設定初期化処理によらずに、必要なデータ（項目）の初期化が行えたり、逆に何もしないといった事が可能となる。
［５．６  第６実施形態］
第６実施形態として、画像形成装置１０において、明らかに初期化（データのクリア）が必要なデータは画像形成装置１０で初期化する実施形態について説明する。第６実施形態は、例えば第３実施形態におけるＳ３００４でデータ送信要求に応じたデータを抽出し、データを送信（Ｓ３００６）した後や、第４実施形態におけるＳ４００２において初期化が必要なデータ（設定初期化処理を実行するデータ）を抽出し、データを送信（Ｓ４００４）において実行される。
【００８４】
例えば、図１１で説明するデータのうち、例えば履歴情報については必ず初期化が必要な項目であっとする。この場合、履歴情報については、端末装置２０に送信せず、そのまま画像形成装置１０において単体で消去する。
【００８５】
これにより、予め設定を初期化する（クリアする）と判断されるものは画像形成装置１０で消去し、初期化の要否の判断が必要はデータのみを端末装置２０に送信されることとなる。画像形成装置１０と、端末装置２０とで判断されることから、高速に処理することが可能となり、かつ、データの送受信の量も減らすことが可能となる。
【００８６】
［５．７  第７実施形態］
つづいて、第７実施形態について図１９を用いて説明する。第７実施形態は、画像形成装置１０単体で処理を行う場合である。
【００８７】
すなわち、画像形成装置１０において設定初期化処理が実行可能である場合（Ｓ５００２）、各データに対して設定初期化処理を画像形成装置１０において行う。全データについて処理が終了すれば、本処理は終了する（Ｓ５００４；Ｙｅｓ）。
【００８８】
このように、本実施形態によれば、端末装置２０を用いずとも画像形成装置１０単体で処理を完了することが可能となる。
【００８９】
［６．画面例］
続いて、本処理を実施した場合の画面例について説明する。例えば、図２０は端末装置２０に表示される画面の一例を示した図である。
【００９０】
図２０（ａ）に示すように、まずリファービッシュシステム（再生産用プログラム）が起動している画面である。ここで、各種データを消去するか、また出荷設定をするか否かを確認する表示がされている。
【００９１】
また、図２０（ｂ）は、リファービッシュシステムの結果を表示した画面である。処理を実行中に、どのような種別が消去されたのかを作業員に報知することにより、確実に処理を実行することが可能となる。
【００９２】
［７．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００９３】
なお、上述した実施形態においては、再生産システムとして、画像形成装置１０に端末装置２０が接続される形式（遠隔管理システム／ＲＩＣシステム）を利用する場合について説明した。
【００９４】
設定初期化処理を、画像形成装置１０において実行する事としてもよい。すなわち、画像形成装置の記憶部１３０に、設定初期化処理を実行するプログラムを記憶する。そして、リファービッシュ処理を実行しているとき、画像形成装置１０において設定初期化するか否かを判断したり、作業員から操作指示を入力されたりすることにより、画像形成装置１０のみでも同様の処理を実行することが出来る。
【００９５】
この場合、設定を初期化（上書き）する情報は、画像形成装置１０に予め記憶させていてもよいし、接続された端末装置２０から送信された情報や、ネットワーク上（クラウド上）に記憶された情報を読み出してもよい。
【符号の説明】
【００９６】
１０  画像形成装置
１１０  制御部
１２０  画像形成部
１３０  記憶部
１３２  装置動作情報
１３４  装置設定情報
１３６  履歴情報
１３８  固有調整値情報
１４０  出力部
１５０  操作表示部
１６０  通信部
２０  端末装置
２１０  制御部
２２０  入出力部
２３０  記憶部
２３２  初期値情報
２３４  利用者設定情報
２３６  種類判別情報
２４０  通信部
【図１】
2015041341.tif 000003
【図２】
2015041341.tif 000004
【図３】
2015041341.tif 000005
【図４】
2015041341.tif 000006
【図５】
2015041341.tif 000007
【図６】
2015041341.tif 000008
【図７】
2015041341.tif 000009
【図８】
2015041341.tif 000010
【図９】
2015041341.tif 000011
【図１０】
2015041341.tif 000012
【図１１】
2015041341.tif 000013
【図１２】
2015041341.tif 000014
【図１３】
2015041341.tif 000015
【図１４】
2015041341.tif 000016
【図１５】
2015041341.tif 000017
【図１６】
2015041341.tif 000018
【図１７】
2015041341.tif 000019
【図１８】
2015041341.tif 000020
【図１９】
2015041341.tif 000021
【図２０】
2015041341.tif 000022